(57)【要約】【課題】  押鍵時にダンパーレバーから鍵に作用する反力を一定にし、タッチ重さを一定にすることによって、安定した良好なタッチ感を得ることができるグランド型ピアノのダンパーを提供する。【解決手段】  ダンパーレバーレール２１と、後端部においてダンパーレバーレール２１に回動自在に支持され、前後方向に延び、押鍵された鍵５ａで押圧されることによって上方に回動するダンパーレバー２２と、ダンパーレバー２２に連結され、ダンパーレバー２２の回動に伴って上方に移動し、弦Ｓから離れるダンパーヘッド２３と、ダンパーレバー２２および鍵５ａの少なくとも一方に設けられ、鍵５ａの押鍵に伴うダンパーレバー２２の回動中、ダンパーレバー２２と鍵５ａとの接触位置を一定に保持する接触位置保持手段と、を備える。【選択図】図３
2011209411.tif 000002
【特許請求の範囲】
【請求項１】
揺動自在の鍵が押鍵されるのに伴って作動し、弦の振動を許容するグランド型ピアノのダンパーであって、
ダンパーレバーレールと、
後端部において前記ダンパーレバーレールに回動自在に支持され、前後方向に延び、押鍵された前記鍵で押圧されることによって上方に回動するダンパーレバーと、
当該ダンパーレバーに連結され、当該ダンパーレバーの回動に伴って上方に移動し、前記弦から離れるダンパーヘッドと、
前記ダンパーレバーおよび前記鍵の少なくとも一方に設けられ、当該鍵の押鍵に伴う前記ダンパーレバーの回動中、当該ダンパーレバーと前記鍵との接触位置を一定に保持する接触位置保持手段と、
を備えることを特徴とするグランド型ピアノのダンパー。
【請求項２】
前記接触位置保持手段は、前記ダンパーレバーの下面に設けられ、押鍵された前記鍵の上面が接触する突起であることを特徴とする、請求項１に記載のグランド型ピアノのダンパー。
【請求項３】
前記突起は、前記ダンパーレバーの下面の前端部に配置されていることを特徴とする、請求項２に記載のグランド型ピアノのダンパー。
【請求項４】
前記接触位置保持手段は、前記ダンパーレバーの下面の前記鍵の前記接触位置よりも後ろ側に形成され、前記鍵の押鍵に伴う前記ダンパーレバーの回動中、前記鍵の上面の後端部を前記ダンパーレバーに接触しないように逃がすための凹部であることを特徴とする、請求項１に記載のグランド型ピアノのダンパー。
【発明の詳細な説明】
【技術分野】
【０００１】
本発明は、揺動自在の鍵が押鍵されるのに伴って作動し、弦の振動を許容するグランド型ピアノのダンパーに関する。
【背景技術】
【０００２】
従来、この種のダンパーとして、例えば特許文献１に開示されたものが知られている。このダンパーは、ダンパーレバーレールと、鍵ごとに設けられた複数のダンパーレバーおよびダンパーヘッドを備えている。ダンパーレバーレールはピアノ本体に固定されている。各ダンパーレバーは、後端部においてダンパーレバーレールに回動自在に支持され、前後方向に延びている。鍵の離鍵状態においては、ダンパーレバーは若干、後ろ上がりに傾斜し、鍵は後ろ下がりに傾斜しており、ダンパーレバーの前端部が、鍵の後端部に上方から対向している。鍵およびダンパーレバーはいずれも矩形の断面を有し、ダンパーレバーの下面と鍵の上面はいずれも平坦になっている。各ダンパーヘッドは、ダンパーレバーの上側に連結され、離鍵状態において弦に上方から当接している。
【０００３】
以上の構成により、鍵が押鍵されると、鍵が回動するのに伴い、その後端部でダンパーレバーを押圧することによって、ダンパーレバーが上方に回動する。この回動に伴い、ダンパーヘッドが、上方に移動することによって、弦から離れ、打弦による弦の振動を許容する。
【先行技術文献】
【特許文献】
【０００４】
【特許文献１】特開２００７−１７１３４１号公報
【発明の概要】
【発明が解決しようとする課題】
【０００５】
しかし、この従来のダンパーでは、以下の理由から、押鍵時の鍵のタッチ重さが変化し、安定した良好なタッチ感を得ることができない。図７は、従来の鍵５１とダンパーレバー５２との位置関係および動作を模式的に示したものである。同図（ａ）に示す離鍵状態から鍵５１が押鍵されると、鍵５１は後ろ下がりに傾斜し、ダンパーレバー５２は後ろ上がりに傾斜した状態で、鍵５１の上面がダンパーレバー５２の下面に接触する。このため、この接触の開始時の接触位置Ａは、ダンパーレバー５２では前端になり、鍵５１では後端よりも前側の位置になる（同図（ｂ））。その後、鍵５１の回動が進むにつれて、鍵５１は後ろ上がりに傾斜し、ダンパーレバー５２は後ろ下がりに傾斜した状態になる。このように、このときの接触位置Ｂは、鍵５１では後端になり、ダンパーレバー５２では前端よりも後ろ側の位置になる（同図（ｃ））。
【０００６】
以上のように、押鍵に伴う鍵５１およびダンパーレバー５２の回動中、両者の接触位置が前側の接触位置Ａから後ろ側の接触位置Ｂに変化する。これに伴い、支点から接触位置までの腕の長さが、ダンパーレバー５２では短くなり、鍵５１では長くなるため、ダンパーレバー５２から鍵５１に作用する反力が大きくなり、タッチ重さが重くなる。このため、タッチ感が変化し、安定した良好なタッチ感を得ることができない。
【０００７】
本発明は、以上のような課題を解決するためになされたものであり、押鍵時にダンパーレバーから鍵に作用する反力を一定にし、タッチ重さを一定にすることによって、安定した良好なタッチ感を得ることができるグランド型ピアノのダンパーを提供することを目的とする。
【課題を解決するための手段】
【０００８】
上記の目的を達成するために、請求項１に係る発明は、揺動自在の鍵が押鍵されるのに伴って作動し、弦の振動を許容するグランド型ピアノのダンパーであって、ダンパーレバーレールと、後端部においてダンパーレバーレールに回動自在に支持され、前後方向に延び、押鍵された鍵で押圧されることによって上方に回動するダンパーレバーと、ダンパーレバーに連結され、ダンパーレバーの回動に伴って上方に移動し、弦から離れるダンパーヘッドと、ダンパーレバーおよび鍵の少なくとも一方に設けられ、鍵の押鍵に伴うダンパーレバーの回動中、ダンパーレバーと鍵との接触位置を一定に保持する接触位置保持手段と、を備えることを特徴とする。
【０００９】
このグランド型ピアノのダンパーによれば、鍵が押鍵されると、鍵は、ダンパーレバーに接触した状態でこれを押圧し、上方に回動させる。この回動に伴い、ダンパーヘッドが、上方に移動することによって弦から離れ、弦の振動を許容する。
【００１０】
また、ダンパーレバーおよび鍵の少なくとも一方には、鍵の押鍵に伴うダンパーレバーの回動中、ダンパーレバーと鍵との接触位置を一定に保持する接触位置保持手段が設けられている。このため、押鍵時において、鍵とダンパーレバーとの接触位置が変化することはなく、ダンパーレバーから鍵に作用する反力が一定になり、タッチ重さが一定になる結果、安定した良好なタッチ感を得ることができる。
【００１１】
請求項２に係る発明は、請求項１に記載のグランド型ピアノのダンパーにおいて、接触位置保持手段は、ダンパーレバーの下面に設けられ、押鍵された鍵の上面が接触する突起であることを特徴とする。
【００１２】
この構成によれば、押鍵された鍵の回動に伴い、鍵の上面がダンパーレバーの突起に接触する。この状態では、ダンパーレバーの下面の突起よりも後ろ側に、鍵の上面とダンパーレバーの下面の間に間隙が生じる。このため、押鍵に伴う鍵およびダンパーレバーの回動中、鍵の後端部がダンパーレバーに接触することはなく、鍵は突起を介してのみダンパーレバーに接触するので、鍵とダンパーレバーとの接触位置を一定に保持することができる。このように、ダンパーレバーに突起を設けただけの単純な構成で、請求項１の作用を容易に得ることができる。
【００１３】
請求項３に係る発明は、請求項２に記載のグランド型ピアノのダンパーにおいて、突起は、ダンパーレバーの下面の前端部に配置されていることを特徴とする。
【００１４】
前述したように、通常のダンパーでは、鍵とダンパーレバーとの接触の開始時に、鍵はダンパーレバーの前端に接触する。上記の構成によれば、突起がダンパーレバーの下面の前端部に配置されているので、通常のダンパーと比較し、鍵とダンパーレバーとの接触位置は変わらず、タッチ重さも基本的に変わらない。したがって、通常のダンパーに代えて、鍵のタッチ重さを変更することなく、このダンパーを用いることができる。
【００１５】
請求項４に係る発明は、請求項１に記載のグランド型ピアノのダンパーにおいて、接触位置保持手段は、ダンパーレバーの下面の鍵の接触位置よりも後ろ側に形成され、鍵の押鍵に伴うダンパーレバーの回動中、鍵の上面の後端部をダンパーレバーに接触しないように逃がすための凹部であることを特徴とする。
【００１６】
この構成によれば、押鍵された鍵の回動に伴い、鍵は、ダンパーレバーの下面の凹部よりも前側の位置で接触する。鍵およびダンパーレバーの回動が進んでも、鍵の上面の後端部は、ダンパーレバーの凹部に入り込むようにして逃がされ、ダンパーレバーには接触しない。このため、鍵およびダンパーレバーの回動中、両者の接触位置を一定に保持することができる。このように、ダンパーレバーに凹部を形成しただけの単純な構成で、請求項１の作用を容易に得ることができる。
【図面の簡単な説明】
【００１７】
【図１】本発明の第１実施形態によるダンパーを備えたグランドピアノの鍵盤装置を、離鍵状態において示す側面図である。
【図２】図１のダンパーおよび鍵とその周辺部を拡大して示す斜視図である。
【図３】図１のダンパーのダンパーレバーと鍵との位置関係を模式的に示す側面図であり、（ａ）は離鍵状態、（ｂ）は鍵とダンパーレバーとの接触の開始時、（ｃ）は鍵の回動の終了時を示す。
【図４】鍵の押鍵深さと鍵に作用する静荷重との関係を模式的に示すグラフである。
【図５】第２実施形態によるダンパーのダンパーレバーと鍵との位置関係を模式的に示す側面図であり、（ａ）は離鍵状態、（ｂ）は鍵とダンパーレバーとの接触の開始時、（ｃ）は鍵の回動の終了時を示す。
【図６】第３実施形態によるダンパーのダンパーレバーと鍵との位置関係を模式的に示す側面図であり、（ａ）は離鍵状態、（ｂ）は鍵とダンパーレバーとの接触の開始時、（ｃ）は鍵の回動の終了時を示す。
【図７】従来のダンパーのダンパーレバーと鍵との位置関係を模式的に示す側面図であり、（ａ）は離鍵状態、（ｂ）は鍵とダンパーレバーとの接触の開始時、（ｃ）は鍵の回動の終了時を示す。
【発明を実施するための形態】
【００１８】
以下、図面を参照しながら、本発明の好ましい実施形態を詳細に説明する。図１は、本発明の第１実施形態によるダンパー１を備えたアコースティックタイプのグランドピアノ２の鍵盤装置３を、離鍵状態において示している。なお、以下の説明では、グランドピアノ２を演奏者から見た場合の手前側（同図の右側）を「前」、奥側（同図の左側）を「後」、さらに左側および右側をそれぞれ「左」および「右」とし、説明を行うものとする。
【００１９】
同図に示すように、鍵盤装置３は、筬４、鍵盤５、アクション６および複数のハンマー７（いずれも１つのみ図示）を備えている。
【００２０】
鍵盤５は、白鍵および黒鍵から成る複数（例えば８８個）の鍵５ａ（１つのみ図示）で構成されており、筬４に載置されている。各鍵５ａは、その中央に形成されたバランスピン孔（図示せず）を介して、筬４に立設されたバランスピン８に揺動自在に支持されており、前後方向に延びている。また、鍵５ａは、矩形の断面を有しており、その上面は平坦になっている。さらに、鍵５ａの上面には、バランスピン８よりも後ろ側の位置に、キャプスタンスクリュー５ｂが取り付けられており、鍵５ａの上面の後端部には、所定の厚さを有するフェルト５ｃが貼り付けられている。離鍵状態において、鍵５ａは後ろ下がりに傾斜している。
【００２１】
アクション６は、鍵盤５の後部の上方に配置されており、鍵５ａごとに、ウィッペン１１、レペティションレバー１２およびジャック１３を有している。ウィッペン１１は、その後端部において、ウィッペンフレンジ１１ａを介してウィッペンレール１０に回動自在に支持され、中央において、キャプスタンスクリュー５ｂを介して鍵５ａに載置されている。
【００２２】
レペティションレバー１２は、その中央においてウィッペン１１に回動自在に取り付けられている。レペティションレバー１２の前部には、上下方向に貫通するジャック案内孔１２ａが形成されている。
【００２３】
ジャック１３は、上下方向に延びる突上げ部１３ａと、その下端部から前方にほぼ直角に延びる係合部１３ｂとから、Ｌ字状に形成されており、その角部においてウィッペン１１に回動自在に取り付けられている。突上げ部１３ａの上端部は、レペティションレバー１２のジャック案内孔１２ａに係合している。
【００２４】
各ハンマー７は、鍵５ａごとに設けられ、前後方向に延びるハンマーシャンク７ａと、ハンマーシャンク７ａの後端部に取り付けられたハンマーヘッド７ｂを備えており、ハンマーシャンク７ａの前端部において、シャンクフレンジ７ｃを介してハンマーシャンクレール１４に回動自在に支持されている。ハンマーシャンク７ａの下面の前部には、円柱状のシャンクローラ７ｄが固定されている。離鍵状態では、ハンマー７が、レペティションレバー１２のジャック案内孔１２ａ付近にシャンクローラ７ｄを介して載置され、ジャック１３の突上げ部１３ａがシャンクローラ７ｄと微小な間隔を存して対向している。
【００２５】
以上の構成によれば、鍵５ａが押鍵されると、鍵５ａがバランスピン８を中心として図１の時計方向に回動するのに伴い、ウィッペン１１が、キャプスタンスクリュー５ｂを介して鍵５ａに突き上げられ、反時計方向に回動する。このウィッペン１１の回動に伴い、レペティションレバー１２およびジャック１３が上方に移動し、ジャック１３の突上げ部１３ａがシャンクローラ７ｄを介してハンマー７を突き上げることによって、ハンマー７が時計方向に回動する。そして、この回動の途中で、ジャック１３がシャンクローラ７ｄから抜け、その直後において、ハンマーヘッド７ｂがその上方に水平に張られた弦Ｓを打弦する。
【００２６】
図１および図２に示すように、本発明に係るダンパー１は、鍵盤５の後方に配置されており、ダンパーレバーレール２１と、鍵５ａごとに設けられた複数のダンパーレバー２２およびダンパーヘッド２３（いずれも１つのみ図示）を備えている。
【００２７】
ダンパーレバーレール２１は、例えばアルミニウムの押出成形品で構成され、鍵盤５の左右方向の長さの全体にわたって延びている。また、ダンパーレバーレール２１は、ダンパーレバーレール介物を介して、ピアノ本体（いずれも図示せず）に固定されている。
【００２８】
各ダンパーレバー２２は、例えば合成樹脂の成形品で構成されており、その後端部において、ダンパーレバーフレンジ２４を介してダンパーレバーレール２１に回動自在に支持され、前後方向に延びている。また、ダンパーレバー２２の下面の前端部には、突起２２ａが一体に形成されている。突起２２ａは、ダンパーレバー２２の左右方向の幅全体にわたって設けられており、図３に示すようなほぼ半円状の一定の断面を有している。突起２２ａの先端部の曲率は、他の部分よりも大きくなっている。
【００２９】
また、ダンパーレバー２２には、２つの重り２２ｂ、２２ｂが取り付けられるとともに、下面にパイロットスクリュー２６が固定されている。ダンパーレバー２２は、パイロットスクリュー２６を介してリフティングレール２９に載置されている。離鍵状態では、ダンパーレバー２２は、若干、後ろ上がりに傾斜し、その前端部が、対応する鍵５ａの後端部に上方から対向している。
【００３０】
また、ダンパーレバー２２の中央には、ダンパーワイヤフレンジ２５が回動自在に取り付けられている。ダンパーワイヤフレンジ２５の上面には、ワイヤ取付孔（図示せず）が形成されており、このワイヤ取付孔に、ダンパーワイヤ２７が差し込まれている。ダンパーワイヤ２７は、上下方向に延び、ダンパーワイヤガイドホルダ２８のガイド孔２８ａに通されている。
【００３１】
ダンパーヘッド２３は、ヘッド本体２３ａと、ヘッド本体２３ａの下面に取り付けられた前後２つのダンパーフェルト２３ｂ、２３ｂで構成されている。ヘッド本体２３ａの一方の側面には、ワイヤ挿入穴（図示せず）が形成されており、このワイヤ挿入穴に、ダンパーワイヤ２７の上端部が差し込まれている。ダンパーヘッド２３は、離鍵状態において、弦Ｓに上方から当接している。
【００３２】
以上の構成によれば、鍵５ａが押鍵されると、鍵５ａは、図１の時計方向に回動し、フェルト５ｃを介して、ダンパーレバー２２に接触し、これを押圧する。これにより、ダンパーレバー２２は、その後端部を中心として反時計方向に回動する。この回動に伴い、ダンパーワイヤ２７がダンパーワイヤホルダ２８のガイド孔２８ａで案内されながら、ダンパーワイヤフレンジ２５、ダンパーワイヤ２７およびダンパーヘッド２３が上方に移動する。これにより、ダンパーヘッド２３が弦Ｓから離れる。そして、その状態で、回動するハンマー７が弦Ｓを打弦することによって、弦Ｓが振動が許容され、ピアノ音が発生する。
【００３３】
一方、鍵５ａが離鍵されると、ダンパーレバー２２が時計方向に復帰回動するのに伴い、上記と逆の動作で、ダンパーヘッド２３などが下方に移動し、ダンパーヘッド２３が弦Ｓに当接することによって、弦Ｓの振動が停止され、止音される。
【００３４】
次に、図３を参照しながら、ダンパー１の動作中の鍵５ａとダンパーレバー２２との位置関係について説明する。図３（ａ）に示す離鍵状態から鍵５ａが押鍵されると、鍵５ａは後ろ下がりに傾斜し、ダンパーレバー２２は後ろ上がりに傾斜した状態で、鍵５ａの上面がダンパーレバー２２の突起２２ａに接触する（同図（ｂ））。この状態では、ダンパーレバー２２の下面の突起２２ａよりも後ろ側に、鍵５ａの上面とダンパーレバー２２の下面の間に間隙が生じる。このため、その後、同図（ｃ）に示す鍵５ａの回動の終了時に至るまで、鍵５ａの後端部がダンパーレバー２２に接触することはなく、鍵５ａはダンパーレバー２２の突起２２ａに接触したままである。
【００３５】
以上のように、押鍵に伴う鍵５ａおよびダンパーレバー２２の回動中、鍵５ａとダンパーレバー２２との接触位置が変化することなく、一定に保持されるので、ダンパーレバー２２から鍵５ａに作用する反力が一定になり、タッチ重さが一定になる結果、安定した良好なタッチ感を得ることができる。また、このような効果を、ダンパーレバー２２に突起２２ａを設けただけの単純な構成で、容易に得ることができる。
【００３６】
また、突起２２ａがダンパーレバー２２の下面の前端部に配置されているので、通常のダンパーと比較し、鍵５ａとダンパーレバー２２との接触位置は変わらず、タッチ重さも基本的に変わらない。したがって、通常のダンパーに代えて、鍵５ａのタッチ重さを変更することなく、ダンパー１を用いることができる。
【００３７】
図４は、上述した効果を確認するためにダンパー１に対して行った実験の結果を、比較例とともに示している。この実験では、アクション６およびハンマー７を取り除いた状態で、鍵５ａをゆっくりと押したときの押鍵深さと鍵５ａに作用する静荷重との関係を求めた。同図の実線は、本実施形態に係るダンパー１を用いた場合の結果を示し、破線は、図７に示す従来のダンパーを用いた場合の結果を示す。
【００３８】
鍵５ａが押鍵されると、図４に示す押鍵深さがＤ１のときに、鍵５ａがダンパーレバー２２に接触し始める。その後、静荷重は、押鍵深さがＤ２になるまで増加し、その後、一定になり、押鍵深さがＤ４を超えると、再び増加する。Ｄ２は、ダンパーレバー２２およびダンパーヘッド２３がリフティングレール２９および弦Ｓから完全に離れることで、ダンパーレバー２２のすべての重さが鍵５ａに作用し始める深さに相当し、Ｄ４は、鍵５ａが筬４に当接し始める深さに相当する。
【００３９】
破線で示す従来のダンパーの場合には、押鍵深さがＤ２とＤ４との間のＤ３を超えてから、静荷重が増加する。これは、前述したように、鍵５１とダンパーレバー５２との接触位置が、押鍵深さＤ３を境にして、図７（ｂ）に示す前側の接触位置Ａから同図（ｃ）に示す後ろ側の接触位置Ｂに変化するためである。
【００４０】
これに対し、実線で示す実施形態のダンパー１の場合には、押鍵深さがＤ２からＤ４までの間で、静荷重は増加せず、ほぼ一定である。これは、前述したように、ダンパーレバー２２に設けた突起２２ａによって、鍵５ａとダンパーレバー２２との接触位置が一定に保持されるためである。以上から、本実施形態のダンパー１による前述した効果、すなわち、押鍵に伴う鍵５ａおよびダンパーレバー２２の回動中、タッチ重さが一定になり、安定した良好なタッチ感を得ることができるという効果が得られることが確認された。
【００４１】
次に、図５を参照しながら、本発明の第２実施形態によるダンパー３１について説明する。なお、同図では、前述した第１実施形態のダンパー１と同じ構成部品については、同じ符号が付されている。このことは、後述する第３実施形態についても同じである。
【００４２】
同図に示すように、ダンパー３１のダンパーレバー３２の下面には、凹部３２ａが形成されている。凹部３２ａは、ダンパーレバー３２の前端の後ろ側に連なるように配置され、後方に向かって徐々に深くなっている。具体的には、凹部３２ａの底面は、その前部では下向きに凸に湾曲し、後部では上向きに凸に湾曲し、後端部ではダンパーレバー３２の下面に向かって立ち上がっている。ダンパー３１の他の構成は、第１実施形態のダンパー１と同じである。
【００４３】
以上の構成により、同図（ａ）に示される離鍵状態から鍵５ａが押鍵されると、鍵５ａは、その後端よりも前側の位置で、ダンパーレバー３２の前端に接触する（同図（ｂ））。その後、鍵５ａの回動が進んでも、鍵５ａの後端部がダンパーレバー３２の凹部３２ａに入り込むようにして逃がされるため、同図（ｃ）に示す鍵５ａの回動の終了時に至るまで、鍵５ａはダンパーレバー３２の前端部に接触したままである。
【００４４】
以上のように、本実施形態においても、押鍵に伴う鍵５ａおよびダンパーレバー３２の回動中、両者５ａ、３２の接触位置が一定に保持されるので、タッチ重さがほぼ一定になり、安定した良好なタッチ感が得られるなど、第１実施形態と同様の効果を得ることができる。また、このような効果を、ダンパーレバー３２に凹部３２ａを形成しただけの単純な構成で、容易に得ることができる。
【００４５】
次に、図６を参照しながら、本発明の第３実施形態によるダンパー４１について説明する。同図に示すように、ダンパー４１のダンパーレバー４２の下面には、前端部に突起４２ａが設けられるとともに、前端部よりも後ろ側に凹部４２ｂが形成されている。突起４２ａは、第１実施形態の突起２２ａよりも小さく、また、凹部４２ｂは、第２実施形態の凹部３２ａよりも浅く、突起４２ａと所定の間隔を隔てて配置されており、突起４２ａと凹部４２ｂの間は、平坦面になっている。ダンパー４１の他の構成は、第１実施形態のダンパー１と同じである。
【００４６】
以上の構成により、同図（ａ）に示される離鍵状態から鍵５ａが押鍵されると、鍵５ａは、ダンパーレバー４２の突起４２ａに接触する（同図（ｂ））。その後、鍵５ａの回動が進んでも、鍵５ａの後端部がダンパーレバー４２の凹部４２ｂに入り込むようにして逃がされるため、同図（ｃ）に示す鍵５ａの回動の終了時に至るまで、鍵５ａはダンパーレバー４２の突起４２ａに接触したままである。以上のように、本実施形態においても、押鍵に伴う鍵５ａおよびダンパーレバー４２の回動中、両者５ａ、４２の接触位置が一定に保持されるので、第１および第２実施形態と同様の効果を得ることができる。
【００４７】
なお、本発明は、説明した実施形態に限定されることなく、種々の態様で実施することができる。例えば、実施形態では、突起２２ａ、４２ａおよび凹部３２ａ、４２ｂをいずれもダンパーレバー２２、３２、４２側に設けているが、これらを鍵側に設けてもよい。あるいは、突起および凹部の両方を設ける場合、それらの一方をダンパーレバーに設け、他方を鍵に設けてもよい。
【００４８】
さらに、第１および第３実施形態では、突起２２ａ、４２ａをダンパーレバー２２、４２の前端部に設けているが、これを鍵が接触可能な範囲内で前端部よりも後ろ側に設けてもよい。この構成によっても、鍵とダンパーレバーとの接触位置が一定に保持されるため、安定した良好なタッチ感を得ることができる。
【００４９】
また、第１実施形態のダンパーレバー２２の突起２２ａは、ダンパーレバー２２の幅全体にわたって設けることで、鍵５ａと線接触するように構成されているが、これをダンパーレバーの幅方向の中央にのみ設けることで、鍵と点接触するようにしてもよい。さらに、実施形態では、ダンパーレバー２２、３２、４２を合成樹脂で構成しているが、これを木質材で構成してもよい。
【００５０】
また、実施形態は、本発明をアコースティックタイプのグランドピアノに適用した例であるが、これに限らず、消音タイプなどの他のタイプのグランドピアノに適用してもよいことはもちろんである。その他、本発明の趣旨の範囲内で、細部を適宜変更することが可能である。
【符号の説明】
【００５１】
１  ダンパー
２  グランドピアノ（グランド型ピアノ）
５ａ  鍵
２１  ダンパーレバーレール
２２  ダンパーレバー
２２ａ  突起（接触位置保持手段）
２３  ダンパーヘッド
３１  ダンパー
３２  ダンパーレバー
３２ａ  凹部（接触位置保持手段）
４１  ダンパー
４２  ダンパーレバー
４２ａ  突起（接触維持保持手段）
４２ｂ  凹部（接触位置保持手段）
Ｓ  弦
【図１】
2011209411.tif 000003
【図２】
2011209411.tif 000004
【図３】
2011209411.tif 000005
【図４】
2011209411.tif 000006
【図５】
2011209411.tif 000007
【図６】
2011209411.tif 000008
【図７】
2011209411.tif 000009